(57)【要約】【課題】  空気吸込口および空気吹出口を覆う前面パネルをフラットパネル構造とすることにより、スッキリとしたデザインが得られるようにする。【解決手段】  室内空気を吸い込む送風機２と、該送風機２の前面側に形成された空気吸込口３と、該空気吸込口３に隣接して形成された空気吹出口５，５とを備えた室内ユニットにおいて、前記空気吸込口３および空気吹出口５，５を覆蓋する前面パネル８を、運転停止時においては面一なフラットパネル形状を呈する閉塞位置に移動する一方、運転時においては前記空気吸込口３および空気吹出口５，５を開放する開放位置に移動する構成として、運転停止時に前面パネル８がシンプルなフラットパネル構造となり、すっきりとした前面デザインが得られるようにしている。【選択図】        図１
2009103431.tif 000002
【特許請求の範囲】
【請求項１】
室内空気を吸い込む送風機（２）と、該送風機（２）の前面側に形成された空気吸込口（３）と、該空気吸込口（３）に隣接して形成された空気吹出口（５），（５）とを備えた室内ユニットであって、前記空気吸込口（３）および空気吹出口（５），（５）を覆蓋する前面パネル（８）を、運転停止時においては面一なフラットパネル形状を呈する閉塞位置に移動する一方、運転時においては前記空気吸込口（３）および空気吹出口（５），（５）を開放する開放位置に移動する構成としたことを特徴とする室内ユニット。
【請求項２】
室内空気を吸い込む遠心送風機（２）と、該遠心送風機（２）の前面側に形成された空気吸込口（３）と、前記遠心送風機（２）を吐出側において挟む一対の熱交換器（４），（４）と、該熱交換器（４），（４）の前面側にそれぞれ形成された空気吹出口（５），（５）とを備えた室内ユニットであって、前記空気吸込口（３）および空気吹出口（５），（５）を覆蓋する前面パネル（８）を、運転停止時においては面一なフラットパネル形状を呈する閉塞位置に移動する一方、運転時においては前記空気吸込口（３）および空気吹出口（５），（５）を開放する開放位置に移動する構成としたことを特徴とする室内ユニット。
【請求項３】
前記前面パネル（８）を、前記空気吸込口（３）を開閉する吸込側前面パネル（８ａ）と前記空気吹出口（５），（５）をそれぞれ開閉する吹出側前面パネル（８ｂ），（８ｂ）とによって構成するとともに、前記吸込側前面パネル（８ａ）を、上端部あるいは下端部を支点とする回動可能な構造とする一方、前記吹出側前面パネル（８ｂ），（８ｂ）を、一方の側端部を支点とする回動可能な構造としたことを特徴とする請求項１および２のいずれか一項記載の室内ユニット。
【請求項４】
前記前面パネル（８）を、前記空気吸込口（３）を開閉する吸込側前面パネル（８ａ）と前記空気吹出口（５），（５）をそれぞれ開閉する吹出側前面パネル（８ｂ），（８ｂ）とによって構成するとともに、前記吸込側前面パネル（８ａ）を、前後方向にスライド移動可能な構造とする一方、前記吹出側前面パネル（８ｂ），（８ｂ）を、一方の側端部を支点とする回動可能な構造としたことを特徴とする請求項１および２のいずれか一項記載の室内ユニット。
【請求項５】
前記吸込側前面パネル（８ａ）のスライド移動量を上下で異なるように構成したことを特徴とする請求項４記載の室内ユニット。
【請求項６】
室内空気を吸い込む送風機（２）と該送風機（２）の前面側に形成された空気吸込口（３）と該空気吸込口（３）に隣接して形成された空気吹出口（５），（５）とを備えた室内ユニット（Ｘ），（Ｘ）・・を、複数個前記空気吹出口（５），（５）の並ぶ方向に連接して構成した複数連の室内ユニットであって、前記空気吸込口（３）および空気吹出口（５），（５）を覆蓋する前面パネル（８）を、運転停止時においては面一なフラットパネル形状を呈する閉塞位置に移動する一方、運転時においては前記空気吸込口（３）および空気吹出口（５），（５）を開放する開放位置に移動する構成としたことを特徴とする室内ユニット。
【請求項７】
室内空気を吸い込む遠心送風機（２）と該遠心送風機（２）の前面側に形成された空気吸込口（３）と前記遠心送風機（２）を吐出側において挟む一対の熱交換器（４），（４）と該熱交換器（４），（４）の前面側にそれぞれ形成された空気吹出口（５），（５）とを備えた室内ユニット（Ｘ），（Ｘ）・・を、複数個前記熱交換器（４），（４）の並ぶ方向に連接して構成した複数連の室内ユニットであって、前記空気吸込口（３）および空気吹出口（５），（５）を覆蓋する前面パネル（８）を、運転停止時においては面一なフラットパネル形状を呈する閉塞位置に移動する一方、運転時においては前記空気吸込口（３）および空気吹出口（５），（５）を開放する開放位置に移動する構成としたことを特徴とする室内ユニット。
【請求項８】
前記前面パネル（８）を、前記空気吸込口（３）を開閉する吸込側前面パネル（８ａ）と前記空気吹出口（５），（５）をそれぞれ開閉する吹出側前面パネル（８ｂ），（８ｂ）とによって構成し且つ隣接する室内ユニット（Ｘ），（Ｘ）間に位置する空気吹出口（５），（５）を開閉する吹出側前面パネル（８ｂ），（８ｂ）を前記吸込側前面パネル（８ａ）で兼用する構成としたことを特徴とする請求項６および７のいずれか一項記載の室内ユニット。
【請求項９】
前記吸込側前面パネル（８ａ）を、隣り合う室内ユニット（Ｘ），（Ｘ）において互いに反対方向となるように側方に揺動させる構造としたことを特徴とする請求項８記載の室内ユニット。
【請求項１０】
前記吸込側前面パネル（８ａ）を駆動させる駆動部材（９）を、吸込側と吹出側とを仕切る仕切り板として機能するように構成したことを特徴とする請求項１、２、３、４、５、６、７、８および９のいずれか一項記載の室内ユニット。
【発明の詳細な説明】
【技術分野】
【０００１】
本願発明は、室内ユニットに関し、さらに詳しくは、奥行き方向の寸法が薄型とされ且つ前面側に空気吸込口および空気吹出口を有する室内ユニットにおける前面パネル（即ち、空気吸込口および空気吹出口の前面側を覆うパネル）の構造に関するものである。
【背景技術】
【０００２】
特許文献１あるいは２に開示されている空気調和機用室内ユニットのように、遠心送風機と該遠心送風機を吐出側において挟む一対の熱交換器とからなり、奥行き方向の寸法が薄型とされた空気調和機用室内ユニットの場合、遠心送風機および熱交換器の前面側に空気吸込口および空気吹出口が形成されることとなる。
【０００３】
【特許文献１】特開２００６−２９７０２号公報
【特許文献２】特開２００６−３３６９０９号公報
【発明の開示】
【発明が解決しようとする課題】
【０００４】
上記特許文献１あるいは２に開示されている空気調和機用室内ユニットの場合、前述したように、遠心送風機および熱交換器の前面側に空気吸込口および空気吹出口が形成されることとなるところから、運転停止時におけるデザイン性を考慮すると、これらの空気吸込口および空気吹出口の前面側を覆う前面パネルの構造に工夫を凝らす必要がある。
【０００５】
本願発明は、上記の点に鑑みてなされたもので、空気吸込口および空気吹出口を覆う前面パネルをフラットパネル構造とすることにより、スッキリとしたデザインが得られるようにすることを目的としている。
【課題を解決するための手段】
【０００６】
本願発明では、上記課題を解決するための第１の手段として、室内空気を吸い込む送風機２と、該送風機２の前面側に形成された空気吸込口３と、該空気吸込口３に隣接して形成された空気吹出口５，５とを備えた室内ユニットにおいて、前記空気吸込口３および空気吹出口５，５を覆蓋する前面パネル８を、運転停止時においては面一なフラットパネル形状を呈する閉塞位置に移動する一方、運転時においては前記空気吸込口３および空気吹出口５，５を開放する開放位置に移動する構成としている。
【０００７】
上記のように構成したことにより、運転停止時においては、室内ユニットの空気吸込口３および空気吹出口５，５を覆蓋する前面パネル８がシンプルなフラットパネル構造となるところから、すっきりとした前面デザインが得られる。しかも、運転時においては、前面パネル８は、空気吸込口３および空気吹出口５，５を開放する開放位置に移動することとなるところから、運転に支障を来すことはない。
【０００８】
本願発明では、上記課題を解決するための第２の手段として、室内空気を吸い込む遠心送風機２と、該遠心送風機２の前面側に形成された空気吸込口３と、前記遠心送風機２を吐出側において挟む一対の熱交換器４，４と、該熱交換器４，４の前面側にそれぞれ形成された空気吹出口５，５とを備えた室内ユニットにおいて、前記空気吸込口３および空気吹出口５，５を覆蓋する前面パネル８を、運転停止時においては面一なフラットパネル形状を呈する閉塞位置に移動する一方、運転時においては前記空気吸込口３および空気吹出口５，５を開放する開放位置に移動する構成としている。
【０００９】
上記のように構成したことにより、運転停止時においては、室内ユニットの空気吸込口３および空気吹出口５，５を覆蓋する前面パネル８がシンプルなフラットパネル構造となるところから、すっきりとした前面デザインが得られる。しかも、運転時においては、前面パネル８は、空気吸込口３および空気吹出口５，５を開放する開放位置に移動することとなるところから、運転に支障を来すことはない。
【００１０】
本願発明では、さらに、上記課題を解決するための第３の手段として、上記第１又は第２の手段を備えた室内ユニットにおいて、前記前面パネル８を、前記空気吸込口３を開閉する吸込側前面パネル８ａと前記空気吹出口５，５をそれぞれ開閉する吹出側前面パネル８ｂ，８ｂとによって構成するとともに、前記吸込側前面パネル８ａを、上端部あるいは下端部を支点とする回動可能な構造とする一方、前記吹出側前面パネル８ｂ，８ｂを、一方の側端部を支点とする回動可能な構造とすることもでき、そのように構成した場合、空気吸込口３および空気吹出口５，５を個別に開閉する構造とすることができ、空気吸込口３および空気吹出口５，５の開閉が確実となる。この場合、空気吸込口３は、上方からあるいは下方からの一方吸込となる。
【００１１】
本願発明では、さらに、上記課題を解決するための第４の手段として、上記第１又は第２の手段を備えた室内ユニットにおいて、前記前面パネル８を、前記空気吸込口３を開閉する吸込側前面パネル８ａと前記空気吹出口５，５をそれぞれ開閉する吹出側前面パネル８ｂ，８ｂとによって構成するとともに、前記吸込側前面パネル８ａを、前後方向にスライド移動可能な構造とする一方、前記吹出側前面パネル８ｂ，８ｂを、一方の側端部を支点とする回動可能な構造とすることもでき、そのように構成した場合、空気吸込口３および空気吹出口５，５を個別に開閉する構造とすることができ、空気吸込口３および空気吹出口５，５の開閉が確実となる。この場合、空気吸込口３は、上方および下方からの両方吸込となる。
【００１２】
本願発明では、さらに、上記課題を解決するための第５の手段として、上記第４の手段を備えた室内ユニットにおいて、前記吸込側前面パネル８ａのスライド移動量を上下で異なるように構成とすることもでき、そのように構成した場合、空気吸込口３への上方および下方からの吸込空気量を簡単に調整することができる。
【００１３】
本願発明では、上記課題を解決するための第６の手段として、室内空気を吸い込む送風機２と該送風機２の前面側に形成された空気吸込口３と該空気吸込口３に隣接して形成された空気吹出口５，５とを備えた室内ユニットＸ，Ｘ・・を、複数個前記空気吹出口５，５の並ぶ方向に連接して構成した複数連の室内ユニットにおいて、前記空気吸込口３および空気吹出口５，５を覆蓋する前面パネル８を、運転停止時においては面一なフラットパネル形状を呈する閉塞位置に移動する一方、運転時においては前記空気吸込口３および空気吹出口５，５を開放する開放位置に移動する構成としている。
【００１４】
上記のように構成したことにより、室内ユニットＸ，Ｘ・・を、複数個前記空気吹出口５，５の並ぶ方向に連接して構成しているにもかかわらず、運転停止時においては、室内ユニットＸ，Ｘ・・の空気吸込口３および空気吹出口５，５を覆蓋する前面パネル８がシンプルなフラットパネル構造となるところから、すっきりとした前面デザインが得られる。しかも、運転時においては、前面パネル８は、空気吸込口３および空気吹出口５，５を開放する開放位置に移動することとなるところから、運転に支障を来すことはない。
【００１５】
本願発明では、上記課題を解決するための第７の手段として、室内空気を吸い込む遠心送風機２と該遠心送風機２の前面側に形成された空気吸込口３と前記遠心送風機２を吐出側において挟む一対の熱交換器４，４と該熱交換器４，４の前面側にそれぞれ形成された空気吹出口５，５とを備えた室内ユニットＸ，Ｘ・・を、複数個前記熱交換器４，４の並ぶ方向に連接して構成した複数連の室内ユニットにおいて、前記空気吸込口３および空気吹出口５，５を覆蓋する前面パネル８を、運転停止時においては面一なフラットパネル形状を呈する閉塞位置に移動する一方、運転時においては前記空気吸込口３および空気吹出口５，５を開放する開放位置に移動する構成としている。
【００１６】
上記のように構成したことにより、室内ユニットＸ，Ｘ・・を、複数個熱交換器４，４の並ぶ方向に連接して構成しているにもかかわらず、運転停止時においては、室内ユニットＸ，Ｘ・・の空気吸込口３および空気吹出口５，５を覆蓋する前面パネル８がシンプルなフラットパネル構造となるところから、すっきりとした前面デザインが得られる。しかも、運転時においては、前面パネル８は、空気吸込口３および空気吹出口５，５を開放する開放位置に移動することとなるところから、運転に支障を来すことはない。
【００１７】
本願発明では、さらに、上記課題を解決するための第８の手段として、上記第６又は第７の手段を備えた室内ユニットにおいて、前記前面パネル８を、前記空気吸込口３を開閉する吸込側前面パネル８ａと前記空気吹出口５，５をそれぞれ開閉する吹出側前面パネル８ｂ，８ｂとによって構成し且つ隣接する室内ユニットＸ，Ｘ・・間に位置する空気吹出口５，５を開閉する吹出側前面パネル８ｂ，８ｂを前記吸込側前面パネル８ａで兼用する構成とすることもでき、そのように構成した場合、隣接する室内ユニットＸ，Ｘ間に位置する空気吹出口５，５を開閉する吹出側前面パネル８ｂ，８ｂが吸込側前面パネル８ａで兼用されることとなり、フラットパネルにおける継ぎ目が少なくなり、よりすっきりとした前面デザインが得られる。
【００１８】
本願発明では、さらに、上記課題を解決するための第９の手段として、上記第８の手段を備えた室内ユニットにおいて、前記吸込側前面パネル８ａを、隣り合う室内ユニットＸ，Ｘにおいて互いに反対方向となるように側方に揺動させる構造とすることもでき、そのように構成した場合、室内ユニットＸ，Ｘ・・を、複数個熱交換器４，４の並ぶ方向に連接して構成しているにもかかわらず、簡単に駆動操作によって、すべての空気吸込口３および空気吹出口５，５を確実に開閉できることとなる。
【００１９】
本願発明では、さらに、上記課題を解決するための第１０の手段として、上記第１、第２、第３、第４、第５、第６、第７、第８又は第９の手段を備えた空気調和機用室内ユニットにおいて、前記吸込側前面パネル８ａを駆動させる駆動部材９を、吸込側と吹出側とを仕切る仕切り板として機能するように構成することもでき、そのように構成した場合、吹出側から吸込側への気流のショートサーキットを特別な仕切り板を設けることなく、吸込側前面パネル８ａを駆動させる駆動部材９により防止することができることとなり、部材点数を節減することができる。
【発明の効果】
【００２０】
本願発明の第１の手段によれば、室内空気を吸い込む送風機２と、該送風機２の前面側に形成された空気吸込口３と、該空気吸込口３に隣接して形成された空気吹出口５，５とを備えた室内ユニットにおいて、前記空気吸込口３および空気吹出口５，５を覆蓋する前面パネル８を、運転停止時においては面一なフラットパネル形状を呈する閉塞位置に移動する一方、運転時においては前記空気吸込口３および空気吹出口５，５を開放する開放位置に移動する構成としているので、室内ユニットの空気吸込口３および空気吹出口５，５を覆蓋する前面パネル８がシンプルなフラットパネル構造となるところから、すっきりとした前面デザインが得られるという効果がある。しかも、運転時においては、前面パネル８は、空気吸込口３および空気吹出口５，５を開放する開放位置に移動することとなるところから、運転に支障を来すことはないという効果もある。
【００２１】
本願発明の第２の手段によれば、室内空気を吸い込む遠心送風機２と、該遠心送風機２の前面側に形成された空気吸込口３と、前記遠心送風機２を吐出側において挟む一対の熱交換器４，４と、該熱交換器４，４の前面側に形成された空気吹出口５，５とを備えた室内ユニットにおいて、前記空気吸込口３および空気吹出口５，５を覆蓋する前面パネル８を、運転停止時においては面一なフラットパネル形状を呈する閉塞位置に移動する一方、運転時においては前記空気吸込口３および空気吹出口５，５を開放する開放位置に移動する構成としているので、室内ユニットの空気吸込口３および空気吹出口５，５を覆蓋する前面パネル８がシンプルなフラットパネル構造となるところから、すっきりとした前面デザインが得られるという効果がある。しかも、運転時においては、前面パネル８は、空気吸込口３および空気吹出口５，５を開放する開放位置に移動することとなるところから、運転に支障を来すことはないという効果もある。
【００２２】
本願発明の第３の手段におけるように、上記第１又は第２の手段を備えた室内ユニットにおいて、前記前面パネル８を、前記空気吸込口３を開閉する吸込側前面パネル８ａと前記空気吹出口５，５をそれぞれ開閉する吹出側前面パネル８ｂ，８ｂとによって構成するとともに、前記吸込側前面パネル８ａを、上端部あるいは下端部を支点とする回動可能な構造とする一方、前記吹出側前面パネル８ｂ，８ｂを、一方の側端部を支点とする回動可能な構造とすることもでき、そのように構成した場合、空気吸込口３および空気吹出口５，５を個別に開閉する構造とすることができ、空気吸込口３および空気吹出口５，５の開閉が確実となる。
【００２３】
本願発明の第４の手段におけるように、上記第１又は第２の手段を備えた室内ユニットにおいて、前記前面パネル８を、前記空気吸込口３を開閉する吸込側前面パネル８ａと前記空気吹出口５，５をそれぞれ開閉する吹出側前面パネル８ｂ，８ｂとによって構成するとともに、前記吸込側前面パネル８ａを、前後方向にスライド移動可能な構造とする一方、前記吹出側前面パネル８ｂ，８ｂを、一方の側端部を支点とする回動可能な構造とすることもでき、そのように構成した場合、空気吸込口３および空気吹出口５，５を個別に開閉する構造とすることができ、空気吸込口３および空気吹出口５，５の開閉が確実となる。
【００２４】
本願発明の第５の手段におけるように、上記第４の手段を備えた室内ユニットにおいて、前記吸込側前面パネル８ａのスライド移動量を上下で異なるように構成とすることもでき、そのように構成した場合、空気吸込口への上方および下方からの吸込空気量を簡単に調整することができる。
【００２５】
本願発明の第６の手段によれば、室内空気を吸い込む送風機２と該送風機２の前面側に形成された空気吸込口３と該空気吸込口３に隣接して形成された空気吹出口５，５とを備えた室内ユニットＸ，Ｘ・・を、複数個前記空気吹出口５，５の並ぶ方向に連接して構成した複数連の室内ユニットにおいて、前記空気吸込口３および空気吹出口５，５を覆蓋する前面パネル８を、運転停止時においては面一なフラットパネル形状を呈する閉塞位置に移動する一方、運転時においては前記空気吸込口３および空気吹出口５，５を開放する開放位置に移動する構成としているので、室内ユニットＸ，Ｘ・・を、複数個前記空気吹出口５，５の並ぶ方向に連接して構成しているにもかかわらず、運転停止時においては、室内ユニットの空気吸込口３および空気吹出口５，５を覆蓋する前面パネルがシンプルなフラットパネル構造となるところから、すっきりとした前面デザインが得られるという効果がある。しかも、運転時においては、前面パネル８は、空気吸込口３および空気吹出口５，５を開放する開放位置に移動することとなるところから、運転に支障を来すことはないという効果もある。
【００２６】
本願発明の第７の手段によれば、室内空気を吸い込む遠心送風機２と該遠心送風機２の前面側に形成された空気吸込口３と前記遠心送風機２を吐出側において挟む一対の熱交換器４，４と該熱交換器４，４の前面側にそれぞれ形成された空気吹出口５，５とを備えた室内ユニットＸ，Ｘ・・を、複数個前記熱交換器４，４の並ぶ方向に連接して構成した複数連の室内ユニットにおいて、前記空気吸込口３および空気吹出口５，５を覆蓋する前面パネル８を、運転停止時においては面一なフラットパネル形状を呈する閉塞位置に移動する一方、運転時においては前記空気吸込口３および空気吹出口５，５を開放する開放位置に移動する構成としているので、室内ユニットＸ，Ｘ・・を、複数個熱交換器４，４の並ぶ方向に連接して構成しているにもかかわらず、運転停止時においては、室内ユニットの空気吸込口３および空気吹出口５，５を覆蓋する前面パネルがシンプルなフラットパネル構造となるところから、すっきりとした前面デザインが得られるという効果がある。しかも、運転時においては、前面パネル８は、空気吸込口３および空気吹出口５，５を開放する開放位置に移動することとなるところから、運転に支障を来すことはないという効果もある。
【００２７】
本願発明の第８の手段におけるように、上記第６又は第７の手段を備えた室内ユニットにおいて、前記前面パネル８を、前記空気吸込口３を開閉する吸込側前面パネル８ａと前記空気吹出口５，５をそれぞれ開閉する吹出側前面パネル８ｂ，８ｂとによって構成し且つ隣接する室内ユニットＸ，Ｘ間に位置する空気吹出口５，５を開閉する吹出側前面パネル８ｂ，８ｂを前記吸込側前面パネル８ａで兼用する構成とすることもでき、そのように構成した場合、隣接する室内ユニットＸ，Ｘ間に位置する空気吹出口５，５を開閉する吹出側前面パネル８ｂ，８ｂが吸込側前面パネル８ａで兼用されることとなり、フラットパネルにおける継ぎ目が少なくなり、よりすっきりとした前面デザインが得られる。
【００２８】
本願発明の第９の手段におけるように、上記第８の手段を備えた室内ユニットにおいて、前記吸込側前面パネル８ａを、隣り合う室内ユニットＸ，Ｘにおいて互いに反対方向となるように側方に揺動させる構造とすることもでき、そのように構成した場合、室内ユニットＸ，Ｘ・・を、複数個熱交換器４，４の並ぶ方向に連接して構成しているにもかかわらず、簡単に駆動操作によって、すべての空気吸込口３および空気吹出口５，５を確実に開閉できることとなる。
【００２９】
本願発明の第１０の手段におけるように、上記第１、第２、第３、第４、第５、第６、第７、第８又は第９の手段を備えた室内ユニットにおいて、前記吸込側前面パネル８ａを駆動させる駆動部材９を、吸込側と吹出側とを仕切る仕切り板として機能するように構成することもでき、そのように構成した場合、吹出側から吸込側への気流のショートサーキットを特別な仕切り板を設けることなく、吸込側前面パネル８ａを駆動させる駆動部材９により防止することができることとなり、部材点数を節減することができる。
【発明を実施するための最良の形態】
【００３０】
以下、添付の図面を参照して、本願発明を幾つかの好適な実施の形態について説明する。
【００３１】
第１の実施の形態
図１ないし図３には、本願発明の第１の実施の形態にかかる室内ユニットが示されている。
【００３２】
この室内ユニットは、室内空気を吸い込む遠心送風機２と該遠心送風機２の前面側に形成された空気吸込口３と前記遠心送風機２を吐出側において挟む一対の熱交換器４，４と該熱交換器４，４の前面側にそれぞれ形成された空気吹出口５，５とを備えた室内ユニットＸ，Ｘを、複数個前記熱交換器４，４の並ぶ方向（換言すれば、前記空気吹出口５，５の並ぶ方向）に連接して構成した複数連（例えば、２連）の室内ユニットとされている。そして、前記空気吸込口３および空気吹出口５，５を覆蓋する前面パネル８を、運転停止時においては面一なフラットパネル形状を呈する閉塞位置に移動する一方、運転時においては前記空気吸込口３および空気吹出口５，５を開放する開放位置に移動する構成とされている。このようにすると、室内ユニットＸ，Ｘ・・を、複数個熱交換器４，４の並ぶ方向に連接して構成しているにもかかわらず、運転停止時においては、室内ユニットの空気吸込口３および空気吹出口５，５を覆蓋する前面パネルがシンプルなフラットパネル構造となるところから、すっきりとした前面デザインが得られる。しかも、運転時においては、前面パネル８は、空気吸込口３および空気吹出口５，５を開放する開放位置に移動することとなるところから、空気調和機の運転に支障を来すことはない。
【００３３】
また、前記前面パネル８は、前記空気吸込口３を開閉する吸込側前面パネル８ａと前記空気吹出口５，５をそれぞれ開閉する吹出側前面パネル８ｂ，８ｂとによって構成され且つ隣接する室内ユニットＸ，Ｘ間に位置する空気吹出口５，５を開閉する吹出側前面パネル８ｂ，８ｂを前記吸込側前面パネル８ａで兼用する構成とされている。このようにすると、隣接する室内ユニットＸ，Ｘ間に位置する空気吹出口５，５を開閉する吹出側前面パネル８ｂ，８ｂが吸込側前面パネル８ａで兼用されることとなり、フラットパネルにおける継ぎ目が少なくなり（本実施の形態の場合、３本となり）、よりすっきりとした前面デザインが得られる。
【００３４】
しかも、前記吸込側前面パネル８ａは、隣り合う室内ユニットＸ，Ｘにおいて互いに反対方向となるように側方に揺動させる構造とされている。吸込側前面パネル８ａを揺動させる駆動源は図示省略されている。このようにすると、室内ユニットＸ，Ｘ・・を、複数個熱交換器４，４の並ぶ方向に連接して構成しているにもかかわらず、簡単に駆動操作によって、すべての空気吸込口３および空気吹出口５，５を確実に開閉できることとなる。
【００３５】
さらに、前記吸込側前面パネル８ａを駆動させる駆動部材９は、吸込側と吹出側とを仕切る仕切り板として機能するように構成されている。このようにすると、吹出側から吸込側への気流のショートサーキットを特別な仕切り板を設けることなく、吸込側前面パネル８ａを駆動させる駆動部材９により防止することができることとなり、部材点数を節減することができる。
【００３６】
ところで、前記各室内ユニットＸは、図４および図５に示すように、直方体形状の本体ケーシング１内の中央部にその回転軸２ａを奥行き方向に配置して配設された室内空気を吸い込む遠心送風機２と、該遠心送風機２の前面側に形成された空気吸込口３と、前記遠心送風機２を吐出側（本実施の形態の場合、左右）において挟む一対の熱交換器４，４と、該熱交換器４，４の前面側にそれぞれ形成された空気吹出口５，５とを備えて構成されている。ところで、本実施の形態においては、前記熱交換器４，４は、その空気吸込面の正面側が前記遠心送風機２に近くなるように傾斜して配置されている。このようにすると、本体ケーシング１の奥行き寸法を可及的に小さくすることができる。
【００３７】
前記遠心送風機２は、ターボファンとされており、前面側から室内空気を吸い込み、半径方向に空気を吹き出すように構成されている。即ち、この遠心送風機２は、室内空気を前面中央部の空気吸込口３から吸い込み、遠心送風機２からは羽根車の半径方向に吹き出すように構成されている。そして、本実施の形態の場合、遠心送風機２の上下の空間を小さく形成して、遠心送風機２からの吹出方向が左右方向、即ち左右の空気吹出口５，５の方向となるようにしている。このように構成された遠心送風機２は、室内ユニットＸの薄型化を効果的に行うために、駆動源であるファンモータとしては、薄型化仕様のモータ、例えばプリントモータが使用されている。
【００３８】
前記熱交換器４，４は、室内ユニットＸがヒートポンプ式空気調和機用として用いられる室内ユニットである場合、暖房運転時に凝縮器として作用し、冷房運転時に蒸発器として作用するものであり、図４に示すように、遠心送風機２の吐出側である左右両側に略対称配置されている。前記各熱交換器４は、図６に示すように、鉛直方向に配置された偏平チューブ４ａが平行に配置され、これらの偏平チューブ４ａ間にコルゲートフィン４ｂを介在させた構成となっている。なお、偏平チューブ４ａとコルゲートフィン４ｂとは鑞付け等により接合されている。そして、前記熱交換器４，４は、本体ケーシング１内の底部スペースを利用して冷媒配管４ｃにより連結され、一体となって作用するように構成されている。
【００３９】
また、前記各熱交換器４には、暖房運転時において該熱交換器４で凝縮液化した液冷媒を過冷却するための過冷却熱交換器７がそれぞれ付設されている。該各過冷却熱交換器７は、前記熱交換器４から独立したフィン付き熱交換器であって、冷媒通過面積が前記熱交換器４より小さくなるように構成されている。例えば、図７に示すように、１本の熱交換チューブ７ａにスパインフィン７ｂを巻き付けた簡素な構造の小型円筒状のフィン付き熱交換器として構成されており、熱交換チューブ７ａが上下方向に向くようにして、熱交換器４の風上側に配置されている。なお、この過冷却熱交換器は、必ずしも必要ではなく、省略されることもある。
【００４０】
また、前記各空気吹出口５には、図５および図６に示すように、吹出空気流Ｗ２の吹出方向を上下方向に変更するための多数の上下フラップ１０，１０・・が設けられている。
【００４１】
ついで、前記吸込側前面パネル８ａ、吹出側前面パネル８ｂおよび上下フラップ１０を開閉させる開閉機構について、図８〜図１２を参照して詳述する。
（Ｉ）  吸込側前面パネル８ａの開閉機構（図８（イ），（ロ）参照）
吸込側前面パネル８ａにおける駆動部材９の外端９ａは、吸込側前面パネル８ａの内面に突設された支持突起１１に対してピン１２を介して回動可能に枢支される一方、前記駆動部材９の内端９ｂには、円弧形状の歯車１３が設けられている。そして、該歯車１３は、モータ１４に軸支された円形歯車１５と噛合するギヤ１６ａを一端側に有するスライド部材１６Ａの他端側に設けられたギヤ１６ｂに対して噛合することとなっている。また、吸込側前面パネル８ａ，８ａの駆動部材９，９は、前記と同様な構造のスライド部材１６Ａ，１６Ｂが設けられており、スライド部材１６Ａ，１６Ｂは、モータ１４の回転駆動により図８（ロ）の矢印で示すように、相対移動されるようになっている。つまり、モータ１４の回転駆動によるスライド部材１６Ａ，１６Ｂの相対移動により、駆動部材９が、図８（イ）に示す状態（即ち、吸込側前面パネル８ａを閉止した状態）から図８（ロ）に示す状態（即ち、吸込側前面パネル５ａを開放した状態）へと移動されることとなっているのである。
（ＩＩ）  吹出側前面パネル８ｂの開閉機構（図９（イ），（ロ）および図１０（イ），（ロ）参照）
吹出側前面パネル８ｂの内端には、係合ピン１７が突設されており、該係合ピン１７は、モータ１８に軸支された回転板１９の外周部に突設されたピン２０が係合される縦溝２１を一端側に有する連結板２２の他端側に形成された円弧溝２３に係合されている。なお、前記吹出側前面パネル８ｂは、前記係合ピン１７よりの位置において本体ケーシング１に対して支点２４を介して揺動自在に枢支されている。そして、モータ１８の回転駆動による連結板２２の移動に伴って、図１０（イ）および図１０（ロ）に示すように、吹出側前面パネル８ｂが揺動することにより開閉することとなっている。
（ＩＩＩ）  上下フラップ１０の開閉機構（図１１および図１２（イ），（ロ），（ハ）参照）
各上下フラップ１０の内端側には、本体ケーシング１に対して支点２５を介して揺動可能に枢支された操作部材２６が一体に形成されており、該操作部材２６の端部には、係合ピン２７が突設されている。該係合ピン２７は、モータ２８に軸支された回転板２９の外周部に突設されたピン３０が係合される係合溝３１を上端側に形成した連結板３２に形成された係合溝３３に係合されることとなっている。そして、モータ２８の回転駆動により連結板３２が上下方向に移動し、該移動に伴って、上下フラップ１０が、図１２（イ），（ロ），（ハ）示すように、上下に開閉することとなっている。
【００４２】
第２の実施の形態
図１３よび図１４には、本願発明の第２の実施の形態にかかる室内ユニットが示されている。
【００４３】
この場合、室内ユニットＸ，Ｘにおいて、隣接しない側の空気吹出口５，５を開閉する吹出側前面パネル８ｂ，８ｂが吸込側前面パネル８ａで兼用されることとなっている。このようにすると、フラットパネルにおける継ぎ目がより一層少なくなり（本実施の形態の場合、１本となり）、より一層すっきりとした前面デザインが得られる。その他の構成および作用効果は、第１の実施の形態におけると同様なので、説明を省略する。
【００４４】
第３の実施の形態
図１５ないし図１７には、本願発明の第３の実施の形態にかかる室内ユニットが示されている。
【００４５】
この室内ユニットＸは、直方体形状の本体ケーシング１内の中央部にその回転軸２ａを奥行き方向に配置して配設された室内空気を吸い込む遠心送風機２と、該遠心送風機２の前面側に形成された空気吸込口３と、前記遠心送風機２を吐出側（本実施の形態の場合、左右）において挟む一対の熱交換器４，４と、該熱交換器４，４の前面側にそれぞれ形成された空気吹出口５，５とを備えて構成されている。符号６は遠心送風機２の吸込側に設けられたベルマウスである。ところで、本実施の形態においては、前記熱交換器４，４は、その空気吸込面の正面側が前記遠心送風機２に近くなるように傾斜して配置されている。このようにすると、本体ケーシング１の奥行き寸法を可及的に小さくすることができる。
【００４６】
前記遠心送風機２は、ターボファンとされており、前面側から室内空気を吸い込み、半径方向に空気を吹き出すように構成されている。即ち、この遠心送風機２は、回転軸２ａを本体ケーシング１の奥行き方向に配置し、羽根車２ｂの吸込口２ｃを前記空気吸込口３に対向させるとともに、ハブ２ｄを前記本体ケーシング１の背面板１ａに沿うように配置することにより、室内空気を前面中央部の空気吸込口３から吸い込み、遠心送風機２からは羽根車２ｂの半径方向に吹き出すように構成されている。そして、本実施の形態の場合、羽根車２ｂの上下の空間を小さく形成して、遠心送風機２からの吹出方向が羽根車２ｂの左右方向、即ち左右の空気吹出口５，５の方向となるようにしている。このように構成された遠心送風機２は、室内ユニットＸの薄型化を効果的に行うために、駆動源であるファンモータ２ｅとしては、薄型化仕様のモータ、例えばプリントモータが使用されている。
【００４７】
前記熱交換器４，４は、室内ユニットＸがヒートポンプ式空気調和機用として用いられる室内ユニットである場合、暖房運転時に凝縮器として作用し、冷房運転時に蒸発器として作用するものであり、図１５に示すように、遠心送風機２の吐出側である左右両側に略対称配置されている。前記各熱交換器４は、第１の実施の形態において説明したと同様に、鉛直方向に配置された偏平チューブ４ａが平行に配置され、これらの偏平チューブ４ａ間にコルゲートフィン４ｂを介在させた構成となっている（図６参照）。なお、偏平チューブ４ａとコルゲートフィン４ｂとは鑞付け等により接合されている。そして、前記熱交換器４，４は、本体ケーシング１内の底部スペースを利用して冷媒配管４ｃにより連結され、一体となって作用するように構成されている。
【００４８】
また、前記各熱交換器４には、暖房運転時において該熱交換器４で凝縮液化した液冷媒を過冷却するための過冷却熱交換器７がそれぞれ付設されている。該各過冷却熱交換器７は、前記熱交換器４から独立したフィン付き熱交換器であって、冷媒通過面積が前記熱交換器４より小さくなるように構成されている。例えば、第１の実施の形態において説明したと同様に、１本の熱交換チューブ７ａにスパインフィン７ｂを巻き付けた簡素な構造の小型円筒状のフィン付き熱交換器として構成されており、熱交換チューブ７ａが上下方向に向くようにして、熱交換器４の風上側に配置されている（図７参照）。なお、この過冷却熱交換器は、必ずしも必要ではなく、省略されることもある。
【００４９】
ところで、本実施の形態においては、図１６および図１７に示すように、前記本体ケーシング１の前面側には、前記空気吸込口３および空気吹出口５，５を覆蓋する前面パネル８が配設されている。該前面パネル８は、前記空気吸込口３を開閉する吸込側前面パネル８ａと前記空気吹出口５，５を開閉する吹出側前面パネル８ｂとによって構成されており、前記吸込側前面パネル８ａは、下端部を支点とする回動可能な構造とされ、前記各吹出側前面パネル８ｂは、一方の側端部（例えば、遠心送風機２に近い側の側端部）を支点とする回動可能な構造とされている。つまり、前記前面パネル８は、空気調和機停止時においては面一なフラットパネル形状を呈する閉塞位置に移動する（図１６参照）一方、空気調和機運転時においては前記空気吸込口３および空気吹出口５，５を開放する開放位置に移動する（図１７参照）構成とされているのである。
【００５０】
上記のように構成したことにより、運転停止時においては、室内ユニットの空気吸込口３および空気吹出口５，５を覆蓋する前面パネル８がシンプルなフラットパネル構造となるところから、すっきりとした前面デザインが得られる。しかも、運転時においては、前面パネル８は、空気吸込口３および空気吹出口５，５を開放する開放位置に移動することとなるところから、空気調和機の運転に支障を来すことはない。この場合、吸込気流Ｗ１は上方側からのみの吸込となり、吹出気流Ｗ２，Ｗ２は、斜め前方への吹出となる（図１７参照）。なお、吸込側前面パネル８ａは、上端部を支点とする回動可能な構造とすることもでき、その場合、吸込気流Ｗ１は下方側からのみの吸込となる。
【００５１】
ところで、前記吸込側前面パネル８ａは、駆動手段として作用する板状の駆動部材９により下端部を支点として回動せしめられることとなっている。この場合、板状の駆動部材９は、吸込側と吹出側とを仕切る仕切り板としても機能することとなっている。このようにすると、吹出側から吸込側への気流のショートサーキットを特別な仕切り板を設けることなく、吸込側前面パネル８ａを駆動させる駆動部材９により防止することができることとなり、部材点数を節減することができる。なお、この板状の駆動部材９の駆動源は図示省略されている。一方、前記吹出側前面パネル８ｂは、図示しない駆動手段により一方の側端部（例えば、遠心送風機２に近い側の側端部）を支点として回動せしめられることとなっている。
【００５２】
第４の実施の形態
図１８には、本願発明の第４の実施の形態にかかる室内ユニットが示されている。
【００５３】
この場合、前面パネル８を構成する吸込側前面パネル８ａが、前後方向にスライド移動可能な構造とされている。この場合、吸込気流Ｗ１は上下両方側からの吸込となる。その他の構成および作用効果は、第３の実施の形態におけると同様なので説明を省略する。
【００５４】
第５の実施の形態
図１９には、本願発明の第５の実施の形態にかかる室内ユニットが示されている。
【００５５】
この場合、前面パネル８を構成する吸込側前面パネル８ａが、前後方向にスライド移動可能な構造とされているが、吸込側前面パネル８ａのスライド移動量が上下で異なるように構成されている。このようにすると、吸込気流Ｗ１は上下両方側からの吸込となるが、空気吸込口３への上方および下方からの吸込空気量を簡単に調整することができる。その他の構成および作用効果は、第３の実施の形態におけると同様なので説明を省略する。
【００５６】
第５の実施の形態
図２０および図２１には、本願発明の第５の実施の形態にかかる室内ユニットが示されている。
【００５７】
この場合、第３の実施の形態における室内ユニットＸにおいて、吹出側前面パネル８ｂ，８ｂは、吸込側前面パネル８ａで兼用されることとなっている。この場合、吸込側前面パネル８ａは、側方に揺動させる構造とされている。このようにすると、フラットパネルにおける継ぎ目がなくなり、より一層すっきりとした前面デザインが得られる。その他の構成および作用効果は、第３の実施の形態におけると同様なので、説明を省略する。
【００５８】
上記各実施の形態においては、室内ユニットの使用形態については、特に説明されていないが、この室内ユニットは、壁掛けタイプ、床置きタイプ、天井埋め込みタイプとして用いることができることは勿論であり、空気調和機用室内ユニットおよび空気清浄機として用いることもできる。
【００５９】
また、本願発明は、上記各実施の形態に限定されるものではなく、発明の要旨を逸脱しない範囲において適宜設計変更可能なことは勿論である。
【図面の簡単な説明】
【００６０】
【図１】本願発明の第１の実施の形態にかかる室内ユニットの運転停止時の状態を示す斜視図である。
【図２】本願発明の第１の実施の形態にかかる室内ユニットの運転時の状態を示す斜視図である。
【図３】本願発明の第１の実施の形態にかかる室内ユニットの運転時の状態を示す平面図である。
【図４】本願発明の第１の実施の形態にかかる室内ユニットの運転時の状態を示す一部を省略した横断平面図である。
【図５】本願発明の第１の実施の形態にかかる室内ユニットの運転時の状態を示す一部を省略し且つ前面パネルを省略した正面図である。
【図６】本願発明の第１の実施の形態にかかる室内ユニットにおける熱交換器の拡大斜視図である。
【図７】本願発明の第１の実施の形態にかかる室内ユニットにおける過冷却熱交換器の要部を示す拡大斜視図である。
【図８】本願発明の第１の実施の形態にかかる室内ユニットにおける吸込側前面パネルの開閉機構を示し、（イ）は閉状態を示し、（ロ）は開状態を示す。
【図９】本願発明の第１の実施の形態にかかる室内ユニットにおける吹出側前面パネルの開閉機構を示し、（イ）は平面図を示し、（ロ）は正面図を示す。
【図１０】本願発明の第１の実施の形態にかかる室内ユニットにおける吹出側前面パネルの開閉機構を示し、（イ）は開作動初期の状態を示し、（ロ）は開作動完了状態を示す。
【図１１】本願発明の第１の実施の形態にかかる室内ユニットにおける上下フラップの開閉機構を示す一部省略した拡大正面図である。
【図１２】本願発明の第１の実施の形態にかかる室内ユニットにおける上下フラップの開閉機構を示し、（イ）は全開状態を示し、（ロ）は半開状態を示し、（ハ）は閉止状態を示す。
【図１３】本願発明の第２の実施の形態にかかる室内ユニットの運転停止時の状態を示す斜視図である。
【図１４】本願発明の第２の実施の形態にかかる室内ユニットの運転時の状態を示す平面図である。
【図１５】本願発明の第３の実施の形態にかかる室内ユニットの横断平面図である。
【図１６】本願発明の第３の実施の形態にかかる室内ユニットの運転停止時の状態を示す斜視図である。
【図１７】本願発明の第３の実施の形態にかかる室内ユニットの運転状態を示す斜視図である。
【図１８】本願発明の第４の実施の形態にかかる室内ユニットの運転時の状態を示す斜視図である。
【図１９】本願発明の第５の実施の形態にかかる室内ユニットの運転時の状態を示す斜視図である。
【図２０】本願発明の第６の実施の形態にかかる室内ユニットの運転停止時の状態を示す斜視図である。
【図２１】本願発明の第６の実施の形態にかかる室内ユニットの運転時の状態を示す平面図である。
【符号の説明】
【００６１】
１は本体ケーシング
２は送風機（遠心送風機）
３は空気吸込口
４は熱交換器
５は空気吹出口
８は前面パネル
８ａは吸込側前面パネル
８ｂは吹出側前面パネル
９は駆動部材
Ｘは室内ユニット
【図１】
2009103431.tif 000003
【図２】
2009103431.tif 000004
【図３】
2009103431.tif 000005
【図４】
2009103431.tif 000006
【図５】
2009103431.tif 000007
【図６】
2009103431.tif 000008
【図７】
2009103431.tif 000009
【図８】
2009103431.tif 000010
【図９】
2009103431.tif 000011
【図１０】
2009103431.tif 000012
【図１１】
2009103431.tif 000013
【図１２】
2009103431.tif 000014
【図１３】
2009103431.tif 000015
【図１４】
2009103431.tif 000016
【図１５】
2009103431.tif 000017
【図１６】
2009103431.tif 000018
【図１７】
2009103431.tif 000019
【図１８】
2009103431.tif 000020
【図１９】
2009103431.tif 000021
【図２０】
2009103431.tif 000022
【図２１】
2009103431.tif 000023